(57)【要約】【課題】隣接するコンタクト間での短絡を防止しながら、コネクタの幅寸法を大きくすることなく、コンタクト数を増やすことができ、コンタクト数が増えても、プラグの挿入及び抜去が容易にできる操作性に優れた基板用コネクタを提供する。【解決手段】基板２Ａと他の基板２Ｂに実装する２つのソケット３Ａ，３Ｂにプラグ嵌合凹部３２及びソケットコンタクト３４をそれぞれ二列で有する。プラグ４は一対の内側プラグボディ４０間に取り付ける下側プラグコンタクト４２が各ソケット３Ａ，３Ｂの内側にあるソケットコンタクト３４を接続し、一対の外側プラグボディ４５間に取り付ける上側プラグコンタクト４７が各ソケット３Ａ，３Ｂの外側にあるソケットコンタクト３４を接続する。プラグ４の一端側及び他端側の内側プラグボディ４０及び外側プラグボディ４５はカバー５１に揺動自在に一体的に取り付け、カバー５１により挿抜する。【選択図】図４
2008077844.tif 000002
【特許請求の範囲】
【請求項１】
水平方向に並列に配置される基板及び他の基板に実装する二つのソケットと、各ソケット間に一端部及び他端部を嵌合して接続され、基板と他の基板を電気的に接続するプラグと、を備える基板用コネクタであって、
各ソケットが、一対のプラグ嵌合凹部を並列に形成した絶縁材料からなるソケットボディと、ソケットボディに二列に取り付けた複数の導電体からなるソケットコンタクトと、を有し、
プラグが、各ソケットの内側にあるプラグ嵌合凹部に嵌合する絶縁材料からなる一対の内側プラグボディと、各ソケットの外側にあるプラグ嵌合凹部に嵌合する絶縁材料からなる一対の外側プラグボディと、一対の内側プラグボディ間に一端部及び他端部を固定して並列に取り付けられ、各ソケットの内側一列の複数のソケットコンタクトを電気的に接続する可撓性を持った複数の導電体からなる下側プラグコンタクトと、一対の外側プラグボディ間に一端部及び他端部を固定して複数の下側プラグコンタクトの上側で並列に取り付けられ、各ソケットの外側一列の複数のソケットコンタクトを電気的に接続する可撓性を持った複数の導電体からなる上側プラグコンタクトと、各ソケットの一対のプラグ嵌合凹部に嵌合する内側プラグボディ及び外側プラグボディを独立して揺動可能に一体的に取り付け、プラグ挿入時は取り付けた内側プラグボディ及び外側プラグボディにプラグ挿入力を伝達すると共に、プラグ抜去時は各ソケットのソケットボディにより支えられて梃子となり、取り付けた内側プラグボディ及び外側プラグボディを抜き上げる絶縁材料からなる一対のカバーと、を有することを特徴とする基板用コネクタ。
【請求項２】
プラグが、複数の下側プラグコンタクトをそれぞれ遊びを持って挿通させる複数のコンタクト溝を下面に並列に形成すると共に、複数の上側プラグコンタクトをそれぞれ遊びを持って挿通させる複数のコンタクト溝を上面に並列に形成し、下側プラグコンタクトと上側プラグコンタクト間に挟み込む絶縁材料からなるスペーサを有する請求項１に記載の基板用コネクタ。
【発明の詳細な説明】
【技術分野】
【０００１】
本発明は、電子機器内部の基板間接続に用いられる基板用コネクタに関し、詳しくは、水平方向に並列に配置される基板と他の基板を、その前後左右及び上下方向の３方向の位置ずれを吸収して、電気的に接続する基板用コネクタに関する。
【背景技術】
【０００２】
従来、一対の絶縁体間に一端及び他端を固定して一列に並べて取り付けた複数の細長い導体からなるプラグコンタクトを有するプラグを備え、一方の絶縁体に固定されたプラグコンタクトの一端を基板に半田付けで固定接続すると共に、他方の絶縁体に固定されたプラグコンタクトの他端を他の基板に、それに実装されたソケットとの嵌合によって固定接続し、基板と他の基板を電気的に接続する基板用コネクタが知られている（例えば「特許文献１」参照）。
【０００３】
また、上記複数のプラグコンタクトの両端間には、各プラグコンタクトが相互接触しないように各プラグコンタクトを等間隔に保持する複数の絶縁板が所定の間隔を持って固定されている。
【特許文献１】特許第２９５９０９４号公報
【発明の開示】
【発明が解決しようとする課題】
【０００４】
従来の基板用コネクタでは、コネクタの幅寸法を大きくすることなくコンタクト数（ピン数）を増やす場合（コンタクト数を減らすことなくコネクタの幅寸法を小さくする場合）、コンタクトのピッチを狭くすると、隣接するコンタクト間での相互接触による短絡が起こり易くなると共に、コンタクト数の増加に伴ってプラグの挿入及び抜去が容易にできなくなるという課題があった。
【０００５】
本発明は、上記のような課題に鑑みてなされたもので、その目的は、隣接するコンタクト間での相互接触による短絡を防止しながら、コネクタの幅寸法を大きくすることなくコンタクト数を増やすことができ、コンタクト数が増えても、プラグの挿入及び抜去が容易にできる操作性に優れた基板用コネクタを提供することにある。
【課題を解決するための手段】
【０００６】
上記の目的を達成する本発明は、水平方向に並列に配置される基板及び他の基板に実装する二つのソケットと、各ソケット間に一端部及び他端部を嵌合して接続され、基板と他の基板を電気的に接続するプラグと、を備える基板用コネクタであって、各ソケットが、一対のプラグ嵌合凹部を並列に形成した絶縁材料からなるソケットボディと、ソケットボディに二列に取り付けた複数の導電体からなるソケットコンタクトと、を有し、プラグが、各ソケットの内側にあるプラグ嵌合凹部に嵌合する絶縁材料からなる一対の内側プラグボディと、各ソケットの外側にあるプラグ嵌合凹部に嵌合する絶縁材料からなる一対の外側プラグボディと、一対の内側プラグボディ間に一端部及び他端部を固定して並列に取り付けられ、各ソケットの内側一列の複数のソケットコンタクトを電気的に接続する可撓性を持った複数の導電体からなる下側プラグコンタクトと、一対の外側プラグボディ間に一端部及び他端部を固定して複数の下側プラグコンタクトの上側で並列に取り付けられ、各ソケットの外側一列の複数のソケットコンタクトを電気的に接続する可撓性を持った複数の導電体からなる上側プラグコンタクトと、各ソケットの一対のプラグ嵌合凹部に嵌合する内側プラグボディ及び外側プラグボディを独立して揺動可能に一体的に取り付け、プラグ挿入時は取り付けた内側プラグボディ及び外側プラグボディにプラグ挿入力を伝達すると共に、プラグ抜去時は各ソケットのソケットボディにより支えられて梃子となり、取り付けた内側プラグボディ及び外側プラグボディを抜き上げる絶縁材料からなる一対のカバーと、を有することを特徴とする。
【０００７】
本発明によれば、コンタクトの狭ピッチ化ではなく二列化によって、コネクタの幅寸法を大きくすることなくコンタクト数を増やすので、隣接するコンタクト間での相互接触による短絡を防止することができる。
【０００８】
また、プラグ挿入時には、プラグ挿入力をカバーによってそれに取り付けた内側プラグボディ及び外側プラグボディに伝達するので、コンタクト数が増えてもプラグの挿入が容易にできる。
【０００９】
また、プラグ抜去時には、カバーを梃子にしてそれに取り付けた内側プラグボディ及び外側プラグボディを抜き上げるので、コンタクト数が増えてもプラグの抜去が容易にできる。
【００１０】
本発明においては、プラグが、複数の下側プラグコンタクトをそれぞれ遊びを持って挿通させる複数のコンタクト溝を下面に並列に形成すると共に、複数の上側プラグコンタクトをそれぞれ遊びを持って挿通させる複数のコンタクト溝を上面に並列に形成し、下側プラグコンタクトと上側プラグコンタクト間に挟み込む絶縁材料からなるスペーサを有することが好ましい。
【００１１】
これによれば、隣接する下側プラグコンタクト間の相互接触と、隣接する上側プラグコンタクト間の相互接触と、上側プラグコンタクトと下側プラグコンタクト間の相互接触とを、単一のスペーサによって防止することができると共に、スペーサが基板と他の基板の位置ずれに対応してそのずれ方向に動く（傾く）ことができるので、基板と他の基板の位置ずれを吸収する下側プラグコンタクト及び上側プラグコンタクトの可撓性が損なわれるのを抑え、吸収できる基板と他の基板の位置ずれ量が小さくなるのを防止することができる。
【発明の効果】
【００１２】
以上のように本発明によれば、隣接するコンタクト間での相互接触による短絡を防止しながら、コネクタの幅寸法を大きくすることなくコンタクト数を増やすことができ、コンタクト数が増えても、プラグの挿入及び抜去が容易にできる操作性に優れた基板用コネクタを提供することができる。
【発明を実施するための最良の形態】
【００１３】
以下、本発明の実施の形態に係る基板用コネクタを図面を参照して説明する。図１は本発明の実施の形態に係る基板用コネクタの正面図、図２は同基板用コネクタの平面図、図３は同基板用コネクタの右側面図、図４は同基板用コネクタの図２Ａ−Ａ断面図である。
【００１４】
図１〜図４に示すように、基板用コネクタ１は、水平方向に並列に配置される基板（ＰＣＢ）２Ａ及び他の基板（他のＰＣＢ）２Ｂに実装する同一構造の二つのソケット３Ａ，３Ｂと、各ソケット３Ａ，３Ｂ間に一端部及び他端部を嵌合して接続され、基板２Ａと他の基板２Ｂを、その前後左右及び上下方向の３方向の位置ずれを吸収して、電気的に接続するプラグ４と、から構成される。
【００１５】
図５は本発明の実施の形態に係る基板用コネクタに備えるソケットの正面図、図６は同ソケットの平面図、図７は同ソケットの右側面図、図８は同ソケットの図６Ｂ−Ｂ断面図である。
【００１６】
図５〜図８に示すように、各ソケット３Ａ，３Ｂは、絶縁樹脂からなる上面が開放された横長な箱状のソケットボディ３０が、その内部に各ソケット３Ａ，３Ｂの縦方向（ソケットコンタクトのピッチ方向とは垂直方向の前後方向）の中心線（図６の一点鎖線）に沿って隔壁３１を内底面から一体に立ち上げ、前記中心線を境に前後対称構造に構成されており、各ソケット３Ａ，３Ｂの前記中心線より前後一側の構造を説明し、反対側の構造は図面に同じ符号を付して省略する。
【００１７】
各ソケット３Ａ，３Ｂは、ソケットボディ３０の隔壁３１の前後一側に、後述するプラグボディを上方から挿入して嵌合するプラグ嵌合凹部３２を形成すると共に、このプラグ嵌合凹部３２の外側に、下端をソケットボディ３０の外底面に開放し、かつ、内側にあるプラグ嵌合凹部３２と連通する複数の細幅のコンタクト溝３３を、一定の間隔（等間隔）を設けて横一列に並列に形成し、この横一列の各コンタクト溝３３に、導電性に優れた金属薄板を打ち抜き及び曲げ加工して形成された細幅の板状で、長さ方向に沿って略Ｕ字状に曲げられてばね性を持った導電体からなるソケットコンタクト３４を、その折返し部３４ａを上にして一本づつソケットボディ３０の下側から嵌め込み、ソケットボディ３０に一定の間隔（等間隔）を設けて所定ピッチで横一列に並列に取り付けている。
【００１８】
また、各ソケットコンタクト３４は、その折返し部３４ａより一側が各コンタクト溝３３内の外側溝壁面に沿って固定され、折返し部３４ａより他側が各コンタクト溝３３内で弾性変位可能に片持ち支持されて可動接片３４ｂを形成し、この可動接片３４ｂの先端部がプラグ嵌合凹部３２に突出されて後述するプラグコンタクトとの接点部３４ｃを形成し、各接点部３４ｃをプラグ嵌合凹部３２内に一定の間隔（等間隔）を設けて所定ピッチで横一列に並列に配置すると共に、折返し部３４ａより一側の端部が各コンタクト溝３３の下側からソケットボディ３０の外部に略水平に取り出されて面実装用の外部端子３４ｄを形成し、各外部端子３４ｄをソケットボディ３０の前後一側の外部に一定の間隔（等間隔）を設けて所定ピッチで横一列に並列に配置している。
【００１９】
また、ソケットボディ３０の横一列の各コンタクト溝３３の外側にある前後一側の外面には、プラグ４の抜け止めを行うための複数の固定係合爪３５が一体に形成されると共に、ソケットボディ３０の横一列の各コンタクト溝３３を挟む左右の肩部には、後述する梃子を支えるための平坦な梃子支持面３６が一体に形成されている。
【００２０】
各ソケット３Ａ，３Ｂは、上記構造を前記中心線を挟んで前後一側及び他側に構成し、一対のプラグ嵌合凹部３２を並列に形成した絶縁材料からなるソケットボディ３０と、ソケットボディ３０に二列に取り付けた複数の導電体からなるソケットコンタクト３４と、を有している。
【００２１】
また、各ソケット３Ａ，３Ｂのソケットボディ３０には、その左右外面の中央下部に端子取り付け部３７が一体に形成され、この左右の端子取り付け部３７にＬ形の金属端子３８の一片がソケットボディ３０の下側から圧入固定されて、金属端子３８の他片が端子取り付け部３７の下側からソケットボディ３０の横外側に略水平に突出されて面実装用の補強端子３８ａを形成している。なお、各ソケット３Ａ，３Ｂのソケットボディ３０の外底面は平坦面に形成したが、この外底面には各ソケット３Ａ，３Ｂを実装時に基板２Ａ及び他の基板２Ｂに対して位置決めするための突起を形成しても良い。
【００２２】
各ソケット３Ａ，３Ｂは、基板２Ａ及び他の基板２Ｂの決められた位置に載置された後、二列の外部端子３４ｄが基板２Ａ及び他の基板２Ｂの電極に半田付けで固定接続されると共に、二つの補強端子３８ａが基板２Ａ及び他の基板２Ｂに半田付けで固定されて、基板２Ａ及び他の基板２Ｂに面実装される。ここで、各ソケット３Ａ，３Ｂは実装状態において、各ソケット３Ａ，３Ｂの相互間で、前記中心線の前後一側の上記構造部分が背合わせで隣り合い、その外側に他側の上記構造部分が位置するようになる。
【００２３】
図９は本発明の実施の形態に係る基板用コネクタに備えるプラグの正面図、図１０は同プラグの平面図、図１１は同プラグの底面図、図１２は同プラグの右側面図、図１３は同プラグの図１０Ｃ−Ｃ断面図、図１４は同プラグに有するスペーサの中央縦断面説明図である。
【００２４】
図９〜図１４に示すように、プラグ４は、各ソケット３Ａ，３Ｂの内側にあるプラグ嵌合凹部３２にその底面及び周側面に下面及び周側面を接触して嵌合する絶縁樹脂からなる横長な略直方体状の一対の内側プラグボディ４０に、複数の細幅のコンタクト溝４１を一定の間隔（等間隔）を設けて横一列に並列に形成し、一方の内側プラグボディ４０の横一列の各コンタクト溝４１に、導電性に優れた金属薄板を打ち抜き及び曲げ加工して形成された細長い板状で、可撓性を持った導電体からなる下側プラグコンタクト４２の長さ方向に沿って略Ｕ字状に曲げられた一端部４２Ａを、プラグボディ４０の下側から嵌め込み、その一端部４２Ａにおける下端折返し部から内側の基端側部がプラグボディ４０の内側面と略面一になるようにコンタクト溝４１に圧入固定すると共に、他方の内側プラグボディ４０の横一列の各コンタクト溝４１に、複数の下側プラグコンタクト４２の長さ方向に沿って略Ｕ字状に曲げられた他端部４２Ｂを、プラグボディ４０の下側から嵌め込み、その他端部４２Ｂにおける下端折返し部から内側の基端側部がプラグボディ４０の内側面と略面一になるようにコンタクト溝４１に圧入固定し、一対の内側プラグボディ４０間に複数の下側プラグコンタクト４２を一定の間隔（等間隔）を設けて所定ピッチで横一列に並列に取り付けている。
【００２５】
一対の内側プラグボディ４０には、その上部から内側方に庇状に突出され、下側プラグコンタクト４２の一端部４２Ａ及び他端部４２Ｂの基部を下面で押さえると共に、後述する上側プラグコンタクト４２との間に隙間を確保する端部スペーサ４３が一体に形成されている。
【００２６】
各下側プラグコンタクト４２は、その一端部４２Ａ及び他端部４２Ｂにおける下端折返し部から内側の基端側部片面が、一対の内側プラグボディ４０の対向する内側面に略面一に露出されて各ソケット３Ａ，３Ｂの内側にあるソケットコンタクト３４の接点部３４Ｃと接触する下側プラグコンタクト４２側の接点部４４を形成し、各接点部４４を一対の内側プラグボディ４０の対向する内側面に一定の間隔（等間隔）を設けて所定ピッチで横一列に形成している。
【００２７】
また、プラグ４は、各ソケット３Ａ，３Ｂの外側にあるプラグ嵌合凹部３２にその底面及び周側面に下面及び周側面を接触して嵌合する絶縁樹脂からなる横長な略直方体状の一対の外側プラグボディ４５に、複数の細幅のコンタクト溝４６を一定の間隔（等間隔）を設けて横一列に並列に形成し、一方の外側プラグボディ４５の横一列の各コンタクト溝４４に、導電性に優れた金属薄板を打ち抜き及び曲げ加工して形成された細長い板状で、可撓性を持った導電体からなる上側プラグコンタクト４７の長さ方向に沿って略Ｕ字状に曲げられた一端部４７Ａを、プラグボディ４５の下側から嵌め込み、その一端部４７Ａにおける下端折返し部から外側の先端側部がプラグボディ４５の外側面と略面一になるようにコンタクト溝４６に圧入固定すると共に、他方の外側プラグボディ４５の横一列の各コンタクト溝４６に、複数の上側プラグコンタクト４７の長さ方向に沿って略Ｕ字状に曲げられた他端部４７Ｂを、プラグボディ４５の下側から嵌め込み、その他端部４７Ｂにおける下端折返し部から外側の先端側部がプラグボディ４５の外側面と略面一になるようにコンタクト溝４６に圧入固定し、一対の内側プラグボディ４５間に複数の上側プラグコンタクト４７を、複数の下側プラグコンタクト４２に対して隙間を設けて対向させるように複数の下側プラグコンタクト４２の上側で、一定の間隔（等間隔）を設けて所定ピッチで横一列に並列に取り付けている。
【００２８】
各上側プラグコンタクト４７は、一対の内側プラグボディ４０の端部スペーサ４３を各下側プラグコンタクト４２との間に挟み込むように一対の内側プラグボディ４０の上側を通過して、一対の内側プラグボディ４０の外側にある一対の外側プラグボディ４５に一端部４７Ａ及び他端部４７Ｂを固定し、その一端部４７Ａ及び他端部４７Ｂにおける下端折返し部から外側の先端側端部片面が、一対の外側プラグボディ４５の外側面に略面一に露出されて各ソケット３Ａ，３Ｂの外側にあるソケットコンタクト３４の接点部３４Ｃと接触する上側プラグコンタクト４７側の接点部４８を形成し、各接点部４８を一対の外側プラグボディ４５の外側面に一定の間隔（等間隔）を設けて所定ピッチで横一列に形成している。
【００２９】
一対の内側プラグボディ４０には、その左右側面上部から水平方向に突出する支点軸４９，５０が一体に形成され、一対の外側プラグボディ４５には、その左右側面上部から水平方向に突出する支点軸５０が一体に形成されている。
【００３０】
また、プラグ４は、その一端側及び他端側に向かい合わせに配置する絶縁樹脂からなる一対のカバー５１を有する。各カバー５１は、各ソケット３Ａ，３Ｂのソケットボディ３０に並列に形成した一対のプラグ嵌合凹部３２に嵌合する内側プラグボディ４０及び外側プラグボディ４５を上方から覆うと共に、プラグ挿入時に上方より押圧操作される天板部５１ａと、この天板部５１ａの側縁から内側プラグボディ４０及び外側プラグボディ４５の左右側部及び外側プラグボディ４５より外側に垂下する左右側板部５１ｂ及び外側板部５１ｃ、とを一体に形成している。
【００３１】
各カバー５１は、その左右側板部５１ｂに内側プラグボディ４０及び外側プラグボディ４５の各支点軸４９，５０を回転自在に嵌合する軸受け孔５１ｄ，５１ｅを形成し、天板部５１ａの下側に内側プラグボディ４０及び外側プラグボディ４５を各支点軸４９，５０を介して独立して揺動可能に一体的に取り付け、下側プラグコンタクト４２の一端部４２Ａと上側プラグコンタクト４７の一端部４７Ａ及び下側プラグコンタクト４２の他端部４２Ｂと上側プラグコンタクト４７の他端部４７Ｂを連結している。
【００３２】
各カバー５１には、天板部５１ａの内面から内側プラグボディ４０及び外側プラグボディ４５の上部に突出され、プラグ挿入時にプラグ挿入力を内側プラグボディ４０及び外側プラグボディ４５の左右の端から端に伝達するための内側リブ５１ｆ及び外側リブ５１ｇと、外側板部５１ｃに設ける上方に開口した複数のコ字形の切り込み５１ｈと、各切り込み５１ｈの両端部を天板部５１ａにまで延設させて、その各切り込み５１ｈの両端部の間の天板部５１ａでなる複数のヒンジ部５１ｊと、各切り込み５１ｈで囲われた外側板部５１ｃでなり、各ヒンジ部５１ｊに一体に連設された複数の係合片５１ｋと、各係合片５１ｋの下端内面から突出され、各ソケット３Ａ，３Ｂ側の複数の固定係合爪３５と係脱可能に係合させてプラグ４の抜け止めを行うための複数の可動係合爪５１ｍと、各係合片５１ｋの上部外面から突出され、プラグ抜去時に各カバー５１の後側を持ち上げ操作するための操作部５１ｎと、プラグ完全挿入時に各ソケット３Ａ，３Ｂの内側にある梃子支持面３６と突き合い接触される左右側板部５１ｂの平坦な接触面の端部を丸みを持って立ち上げる湾曲面でなり、プラグ抜去時に各カバー５１を各ソケット３Ａ，３Ｂの内側にある梃子支持面３６で支えて梃子にして、各カバー５１に取り付けた内側プラグボディ４０及び外側プラグボディ４５を、各ソケット３Ａ，３Ｂのソケットボディ３０に並列に形成した一対のプラグ嵌合凹部３２から抜き上げるための梃子支点部５１ｐと、を一体に形成している。
【００３３】
下側プラグコンタクト４２の一端部４２Ａと他端部４２Ｂの間は、その中間部４２ａ及び一端部４２Ａと他端部４２Ｂに繋がる両端部４２ｃ，４２ｂで水平であるが、その水平な中間部４２ａと両端部４２ｃ，４２ｂの間は中間部４２ａが両端部４２ｃ，４２ｂより低位になるように内側に向かって斜め下方に傾斜する傾斜部４２ｄ，４２ｅになっている。上側プラグコンタクト４７の一端部４７Ａと他端部４７Ｂの間は、その中間部４７ａ及び一端部４７Ａと他端部４７Ｂに繋がる両端部４７ｂ，４７ｃで水平であるが、その水平な中間部４７ａと両端部４７ｂ，４７ｃの間は中間部４７ａが両端部４７ｂ，４７ｃより低位になるように内側に向かって斜め下方に傾斜する傾斜部４７ｄ，４７ｅになっている。
【００３４】
また、プラグ４には、下側プラグコンタクト４２の一端部４２Ａと他端部４２Ｂの間における下側プラグコンタクト４２の一端部４２Ａと他端部４２Ｂの間における隣接する下側プラグコンタクト４２間の相互接触と、上側プラグコンタクト４７の一端部４７Ａと他端部４７Ｂの間における隣接する上側プラグコンタクト４７間の相互接触と、下側プラグコンタクト４２の一端部４２Ａと他端部４２Ｂの間における下側プラグコンタクト４２と上側プラグコンタクト４７の一端部４７Ａと他端部４７Ｂの間における上側プラグコンタクト４７の間の相互接触と、を防止するために、下側プラグコンタクト４２の水平な中間部４２ａをそれぞれ遊びｔ持って挿通させる複数の細幅のコンタクト溝５２ａを下面に並列に形成すると共に、下側プラグコンタクト４２の水平な中間部４２ａの上側に隙間を設けて対向配置される上側プラグコンタクト４７の水平な中間部４７ａをそれぞれ前記と同じ遊びｔを持って挿通させる複数の細幅のコンタクト溝５２ｂを上面に並列に形成し、下側プラグコンタクト４２の水平な中間部４２ａと上側プラグコンタクト４７の水平な中間部４７ａの間に挟み込む絶縁材料からなるスペーサ５２を有する。
【００３５】
上記のように、プラグ４は、各ソケット３Ａ，３Ｂの内側にあるプラグ嵌合凹部３２に嵌合する絶縁材料からなる一対の内側プラグボディ４０と、各ソケット３Ａ，３Ｂの外側にあるプラグ嵌合凹部３２に嵌合する絶縁材料からなる一対の外側プラグボディ４５と、一対の内側プラグボディ４０間に一端部４２Ａ及び他端部４２Ｂを固定して並列に取り付けられ、各ソケット３Ａ，３Ｂの内側一列の複数のソケットコンタクト３４を電気的に接続する可撓性を持った複数の導電体からなる下側プラグコンタクト４２と、一対の外側プラグボディ４５間に一端部４７Ａ及び他端部４７Ｂを固定して複数の下側プラグコンタクト４２の上側で並列に取り付けられ、各ソケット３Ａ，３Ｂの外側一列の複数のソケットコンタクト３４を電気的に接続する可撓性を持った複数の導電体からなる上側プラグコンタクト４７と、各ソケット３Ａ，３Ｂの一対のプラグ嵌合凹部３２に嵌合する内側プラグボディ４０及び外側プラグボディ４５を独立して揺動可能に一体的に取り付け、プラグ挿入時は取り付けた内側プラグボディ４０及び外側プラグボディ４５にプラグ挿入力を伝達すると共に、プラグ抜去時は各ソケット３Ａ，３Ｂのソケットボディ３０により支えられて梃子となり、取り付けた内側プラグボディ４０及び外側プラグボディ４５を抜き上げる絶縁材料からなる一対のカバー５１と、複数の下側プラグコンタクト４２をそれぞれ遊びｔを持って挿通させる複数のコンタクト溝５２ａを下面に並列に形成すると共に、複数の上側プラグコンタクト４７をそれぞれ遊びｔを持って挿通させる複数のコンタクト溝５２ｂを上面に並列に形成し、下側プラグコンタクト４２と上側プラグコンタクト４７間に挟み込む絶縁樹脂からなるスペーサ５２を有している。
【００３６】
図１５は本発明の実施の形態に係る基板用コネクタに備えるソケットとプラグを嵌合する際のプラグ挿入時の初期状態を示す要部断面図、図１６は同プラグ挿入時の途中の状態を示す要部断面図、図１７は同プラグ挿入時の完全挿入状態を示す要部断面図、図１８は、同プラグ挿入時の完全挿入状態を示す要部右側面図である。
【００３７】
次に、基板用コネクタ１の各ソケット３Ａ，３Ｂとプラグ４を嵌合すべく、他の基板２Ｂに実装したソケット３Ｂにプラグ４の他端側の内側プラグボディ４０及び外側プラグボディ４５を挿入するプラグ挿入操作について図１５〜図１８を参照して説明する。
【００３８】
先ず、図１５に示すように、プラグ４の他端側にあるカバー５１をソケット３Ｂの真上に保持して、カバー５１に取り付けた内側プラグボディ４０をソケット３Ｂの内側にあるプラグ嵌合凹部３２と対向させると共に、カバー５１に取り付けた外側プラグボディ４５をソケット３Ｂの外側にあるプラグ嵌合凹部３２と対向させる。この状態で、カバー５１を下げて他の基板２Ｂに近付けることにより、カバー５１の外側部がソケット３Ｂの外側部に嵌合しながら、内側プラグボディ４０の下端部が内側プラグ嵌合凹部３２に嵌り込むと共に、外側プラグボディ４５の下端部が外側プラグ嵌合凹部３２に嵌り込む。
【００３９】
この状態で、さらにカバー５１を下げて他の基板２Ｂに近付けることにより、図１６に示すように、カバー５１の外側部がさらにソケット３Ｂの外側部に嵌合しながら、下側プラグコンタクト４２の他端部４２Ｂの下端部がソケット３Ｂの内側にあるソケットコンタクト３４の接点部３４ｃに接触すると共に、外側プラグコンタクト４７の他端部４７Ｂの下端部がソケット３Ｂの外側にあるソケットコンタクト３４の接点部３４ｃに接触するまで、内側プラグボディ４０が内側プラグ嵌合凹部３２に挿入されると共に、外側プラグボディ４５が外側プラグ嵌合凹部３２に挿入される。
【００４０】
そして、これ以降は、内側ソケットコンタクト３４の接点部３４ｃ及び外側ソケットコンタクト３４の接点部３４ｃが、内側プラグボディ４０及び外側プラグボディ４５の挿入抵抗になるため、カバー５１の天板部５１ａを上方から押し下げて、その内面の内側リブ５１ｆ及び外側リブ５１ｇで内側プラグボディ４０及び外側プラグボディ４５を押し下げることにより、カバー５１の外側部がさらにソケット３Ｂの外側部に嵌合しながら、内側ソケットコンタクト３４の接点部３４ｃを可動接片３４ｂを撓ませてコンタクト溝３３内に押し込むと共に、外側ソケットコンタクト３４の接点部３４ｃを可動接片３４ｂを撓ませてコンタクト溝３３内に押し込み、内側ソケットコンタクト３４の接点部３４ｃ及び外側ソケットコンタクト３４の接点部３４ｃを乗り越えて、内側プラグボディ４０が内側プラグ嵌合凹部３２にさらに挿入されると共に、外側プラグボディ４５が外側プラグ嵌合凹部３２にさらに挿入され、内側ソケットコンタクト３４の接点部３４ｃに下側プラグコンタクト４２の接点部４４が接触摺動すると共に、外側ソケットコンタクト３４の接点部３４ｃに上側プラグコンタクト４７の接点部４８が接触摺動する。
【００４１】
この状態で、カバー５１の天板部５１ａをさらに押し下げて、内側リブ５１ｆ及び外側リブ５１ｇで内側プラグボディ４０及び外側プラグボディ４５を押し下げることにより、図１７及び図１８に示すように、カバー５１の外側部がさらにソケット３Ｂの外側部に嵌合しながら、内側プラグボディ４０の下端が内側プラグ嵌合凹部３２の底面に突き当たると共に、外側プラグボディ４５の下端が外側プラグ嵌合凹部３２の底面に突き当たるまで、内側プラグボディ４０が内側プラグ嵌合凹部３２に完全挿入されると共に、外側プラグボディ４５が外側プラグ嵌合凹部３２に完全挿入されて、ソケット３Ｂとプラグ４の他端部が嵌合される。
【００４２】
上記のようにソケット３Ｂとプラグの他端部を嵌合する際、カバー５１によりソケット３Ｂと内側プラグボディ４０及び外側プラグボディ４５は隠されるが、ソケット３Ｂの内側プラグ嵌合凹部３２及び外側プラグ嵌合凹部３２と内側プラグボディ４０及び外側プラグボディ４５との位置決めをカバー部材５１により行うことができるので、プラグ４の挿入は難しくならない。
【００４３】
また、基板用コネクタ１の多ピン化でソケットコンタクト３４及びプラグコンタクト４２，４７の数が多くなるに連れて、ソケット３Ｂにプラグ４の他端部を嵌合する際のプラグ４の他端部の挿入抵抗は大きくなるが、カバー５１は天板部５１ａの押圧操作に伴うプラグ挿入力を、支点軸４９と内側リブ５１ｆ及び支点軸５０と外側リブ５１ｇによって、内側プラグボディ４０全体及び外側プラグボディ４５全体に略均一に伝達することができるので、多ピン化でソケットコンタクト３４及びプラグコンタクト４２，４７の数が多くなっても、これらを二列化しても、プラグ４の挿入を容易にできる。
【００４４】
そして、下側プラグコンタクト４２の他端部４２Ｂの下端部が内側ソケットコンタクト３４の接点部３４ｃに接触すると共に、外側プラグコンタクト４７の他端部４７Ｂの下端部が外側ソケットコンタクト３４の接点部３４ｃに接触した以降のプラグ挿入に伴って、カバー５１の可動係合爪５１ｍが係合片５１ｋを外側に撓ませながらソケット３Ｂの固定係合爪３５の上に乗り上げ、内側プラグボディ４０が内側プラグ嵌合凹部３２に完全挿入されると共に、外側プラグボディ４５が外側プラグ嵌合凹部３２に完全挿入された時に、可動係合爪５１ｍが固定係合爪３５を乗り越えてこの下側に移動して、係合片５１ｋの弾性復帰によって固定係合爪３５とプラグ４の抜去方向で係合する。これにより、カバー５１がソケット３Ｂのソケットボディ３０に固定（抜け止め）され、固定されたカバー５１によって内側プラグボディ４０及び外側プラグボディ４５が内側プラグ嵌合凹部３２及び外側プラグ嵌合凹部３２に固定（抜け止め）され、ソケット３Ｂとプラグ４の他端部との嵌合状態が保持される。これにより、ソケット３Ｂの内側プラグ嵌合凹部３２内における内側ソケットコンタクト３４の接点部３４ｃと下側プラグコンタクト４２の接点部４４との接触が保持され、下側プラグコンタクト４２の他端部４２Ｂが他の基板２Ｂと電気的に接続されると共に、ソケット３Ｂの外側プラグ嵌合凹部３２内における外側ソケットコンタクト３４の接点部３４ｃと上側プラグコンタクト４７の接点部４８との接触が保持され、上側プラグコンタクト４７の一端部４２Ｂが他の基板２Ｂと電気的に接続される。
【００４５】
ソケット３Ｂとプラグ４の他端部とが嵌合された時には、カバー５１によって嵌合状態のソケット３Ｂ及びプラグ４の他端部が上方からと内側方を除く周側方から覆われ、内側ソケットコンタクト３４の接点部３４ｃと下側プラグコンタクト４２の接点部４４との接触部に塵埃等が入り難くなる。
【００４６】
また、ソケット３Ｂとプラグ４の他端部とが嵌合された時には、ソケット３Ｂの内側にある梃子支持面３６に支点軸４９及び支点軸５０より内側にあるカバー５１の左右側板部５１ｂの平坦な下面が突き合い接触している。
【００４７】
なお、基板用コネクタ１のソケット３Ａ，３Ｂとプラグ３Ｂを嵌合すべく、基板２Ａに実装したソケット３Ａにプラグ４の一端部の内側プラグボディ４０及び外側プラグボディ４５を挿入するプラグ挿入操作やソケット３Ａとプラグ４の一端部の嵌合状態等については、図５〜図１８に示した上記他の基板２Ｂに実装したソケット３Ｂにプラグ４の他端部の内側プラグボディ４０及び外側プラグボディ４５を挿入するプラグ挿入操作やソケット３Ｂとプラグ４の他端部の嵌合状態等と同じであるため、その詳しい説明及び相当図面を省略する。
【００４８】
そして、図１〜図４に示すように、基板２Ａに実装したソケット３Ａの内側プラグ嵌合凹部３２及び外側プラグ嵌合凹部３２にプラグ４の一端側にある内側プラグボディ４０及び外側プラグボディ４５を完全挿入して嵌合し、ソケット４Ａの内側プラグ嵌合凹部３２内及び外側プラグ嵌合凹部３２内で内側ソケットコンタクト３４の接点部３４ｃと下側プラグコンタクト４２の一端側４２Ａの接点部４４及び外側ソケットコンタクト３４の接点部３４ｃと上側プラグコンタクト４７の一端側４７Ａの接点部４８を接触保持し、下側プラグコンタクト４２の一端側４２Ａ及び上側プラグコンタクト４７の一端側４７Ａと基板２Ａとを電気的に接続する一方、他の基板２Ｂに実装したソケット３Ｂの内側プラグ嵌合凹部３２及び外側プラグ嵌合凹部３２にプラグ４の他端部にある内側プラグボディ４０及び外側プラグボディ４５を完全挿入して嵌合し、ソケット４Ｂの内側プラグ嵌合凹部３２内及び外側プラグ嵌合凹部３２内で内側ソケットコンタクト３４の接点部３４ｃと下側プラグコンタクト４２の一端側４２Ａの接点部４４及び外側ソケットコンタクト３４の接点部３４ｃと上側プラグコンタクト４７の一端側４７Ａの接点部４８を接触保持し、下側プラグコンタクト４２の他端側４２Ｂ及び上側プラグコンタクト４７の他端側４７Ｂと他の基板２Ｂとを電気的に接続することにより、各ソケット３Ａ，３Ｂの二列の内側ソケットコンタクト３４及び外側ソケットコンタクト３４とプラグ４の下側プラグコンタクト４２及び上側プラグコンタクト４７を通じて基板２Ａと他の基板２Ｂを電気的に接続することができる。
【００４９】
上記のように基板２Ａと他の基板２Ｂを電気的に接続する際、基板用コネクタ１は、基板２Ａと他の基板２Ｂ間にソケットコンタクト３４及びプラグコンタクト４２，４７のピッチ方向にずれがある場合でも、プラグ４は下側プラグコンタクト４２及び上側プラグコンタクト４７がその幅方向に撓むことによって、そのずれを吸収して基板２Ａと他の基板２Ｂを電気的に接続することができ、また、基板２Ａと他の基板２Ｂ間にソケットコンタクト３４及びプラグコンタクト４２，４７のピッチ方向とは垂直方向（プラグコンタクト４２，４７の長さ方向）にずれがある場合でも、プラグ４は下側プラグコンタクト４２の長さがその傾斜部４２ｄ，４２ｅによって変化すると共に、上側プラグコンタクト４７の長さがその傾斜部４７ｄ，４７ｅによって変化することによって、そのずれを吸収して基板２Ａと他の基板２Ｂを電気的に接続することができ、さらに基板２Ａと他の基板２Ｂ間にこれらの厚さ方向にずれがある場合でも、プラグ４は下側プラグコンタクト４２及び上側プラグコンタクト４７がその厚さ方向に撓むことによって、そのずれを吸収して基板２Ａと他の基板２Ｂを電気的に接続することができる。
【００５０】
上記のようにプラグ４はその下側プラグコンタクト４２及び上側プラグコンタクト４７の可撓性によって基板２Ａと他の基板２Ｂ間の３方向のずれを吸収する。この際、下側プラグコンタクト４２の一端部４２Ａと他端部４２Ｂの間における下側プラグコンタクト４２の一端部４２Ａと他端部４２Ｂの間における隣接する下側プラグコンタクト４２間の相互接触と、上側プラグコンタクト４７の一端部４７Ａと他端部４７Ｂの間における隣接する上側プラグコンタクト４７間の相互接触と、下側プラグコンタクト４２の一端部４２Ａと他端部４２Ｂの間における下側プラグコンタクト４２と上側プラグコンタクト４７の一端部４７Ａと他端部４７Ｂの間における上側プラグコンタクト４７の間の相互接触と、を防止するために、下側プラグコンタクト４２の水平な中間部４２ａを挿通させる複数の細幅のコンタクト溝５２ａを下面に並列に形成すると共に、上側プラグコンタクト４７の水平な中間部４７ａを挿通させる複数の細幅のコンタクト溝５２ｂを上面に並列に形成して、下側プラグコンタクト４２の水平な中間部４２ａと上側プラグコンタクト４７の水平な中間部４７ａの間に挟み込んだ絶縁樹脂からなるスペーサ５２が、下側プラグコンタクト４２の水平な中間部４２ａを遊びｔ持って下面のコンタクト溝５２ａに挿通させると共に、上側プラグコンタクト４７の水平な中間部４７ａを前記と同じ遊びｔを持って上面のコンタクト溝５２ｂに挿通させるので、基板２Ａと他の基板２Ｂの位置ずれに対応してそのずれ方向に動く（傾く）ことができ、基板２Ａと他の基板２Ｂの位置ずれを吸収する下側プラグコンタクト４２及び上側プラグコンタクト４７の可撓性が損なわれるのを抑え、吸収できる基板２Ａと他の基板２Ｂの位置ずれ量が小さくなるのを防止することができる。
【００５１】
図１９は本発明の実施の形態に係る基板用コネクタに備えるソケットとプラグを分離する際のプラグ抜去時の初期状態を示す要部断面図、図２０は同プラグ抜去時の途中の状態を示す要部断面図である。
【００５２】
次に、嵌合状態の各ソケット３Ａ，３Ｂとプラグ４を分離すべく、他の基板２Ｂに実装したソケット３Ｂからプラグ４の他端部の内側プラグボディ４０及び外側プラグボディ４５を抜去するプラグ抜去操作について図１９〜図２０を参照して説明する。
【００５３】
図１７，図１８に示した嵌合状態からプラグ４の他端部にあるカバー５１の外側部を操作部５１ｎに指先を引っ掛けて持上げ操作すると、図１９に示すように、カバー５１がその内側部を梃子支点部５１ｐによって各ソケット３Ｂの内側にある梃子支持面３６に支え、梃子支点部５１ｐを支点に反時計方向に回動する。これに伴って、ソケット３Ｂの固定係合爪３５からカバー５１の可動係合爪５１ｍが外側に離反して外され、ソケット３Ｂとプラグ４の他端部との嵌合状態での固定が解除されると共に、カバー５１に支点軸４９及び支点軸５０を介して取り付けられている内側プラグボディ４０及び外側プラグボディ４５がソケット３Ｂの内側プラグ嵌合凹部３２内及び外側プラグ嵌合凹部３２内で抜き上げられる。この抜き上げによって、内側プラグボディ４０の下端部及び外側プラグボディ４５の下端部が内側ソケットコンタクト３４の接点部３４ｃ及び外側ソケットコンタクト３４の接点部３４ｃの高さ付近に持ち上がる程度に、内側プラグボディ４０及び外側プラグボディ４５をソケット３Ｂの内側プラグ嵌合凹部３２内及び外側プラグ嵌合凹部３２内で抜き上げた後、カバー５１を上方に持ち上げて内側プラグボディ４０及び外側プラグボディ４５をソケット３Ｂの内側プラグ嵌合凹部３２及び外側プラグ嵌合凹部３２から抜去するものである。
【００５４】
この際、内側ソケットコンタクト３４の接点部３４ｃが下側プラグコンタクト４２の他端部４２Ｂの接点部４４に押し付けられて接触すると共に、外側ソケットコンタクト３４の接点部３４ｃが上側プラグコンタクト４７の他端部４７Ｂの接点部４８に押し付けられて接触するしている抜き上げ初期には、その接触圧が内側プラグボディ４０及び外側プラグボディ４５の大きな抜き上げ抵抗となるが、内側プラグボディ４０の下端部及び外側プラグボディ４５の下端部が内側ソケットコンタクト３４の接点部３４ｃ及び外側ソケットコンタクト３４の接点部３４ｃの高さ付近に持ち上がると、前記接触圧は極端に小さくなり、内側プラグボディ４０及び外側プラグボディ４５の抜き上げ抵抗は殆ど無くなる。そして、上記のように、内側プラグボディ４０の下端部及び外側プラグボディ４５の下端部が内側ソケットコンタクト３４の接点部３４ｃ及び外側ソケットコンタクト３４の接点部３４ｃの高さ付近に持ち上がるまでは、カバー５１を梃子にして内側プラグボディ４０及び外側プラグボディ４５をソケット３Ｂの内側プラグ嵌合凹部３２内及び外側プラグ嵌合凹部３２内で抜き上げるので、プラグ４の他端部の内側プラグボディ４０及び外側プラグボディ４５の抜去を小さな力で容易にできる。
【００５５】
また、内側プラグボディ４０及び外側プラグボディ４５は、カバー５１の梃子支点部５１ｐに対して内側プラグボディ４０が近く、外側プラグボディ４５が遠くになるように、カバー５１に支点軸４９及び支点軸５０を介して取り付けられているので、内側プラグボディ４０より外側プラグボディ４５が先行してソケット３Ｂの内側プラグ嵌合凹部３２内及び外側プラグ嵌合凹部３２内で抜き上げられるようになり、同時に内側プラグボディ４０及び外側プラグボディ４５を抜く力に比べて小さい力で済むと共に、ソケットコンタクト３４及びプラグコンタクト４２，４７の二列化により、カバー５１（梃子）の梃子支点５１ｐと操作部５１ｋ（力点）との距離を長くとることができ、１列構造のものより小さな力でプラグ４を抜去することができる。
【００５６】
また、基板用コネクタ１の多ピン化でソケットコンタクト３４及びプラグコンタクト４２，４７の数が多くなるに連れて、ソケット３Ｂに嵌合されたプラグ４の他端部を抜去時に、プラグ４の他端部の抜き上げ抵抗は大きくなるが、カバー５１をてこにして小さな力でプラグ４の他端部の内側プラグボディ４０及び外側プラグボディ４５をソケット３Ｂの内側プラグ嵌合凹部３２内及び外側プラグ嵌合凹部３２内で抜き上げることができるので、多ピン化でソケットコンタクト３４及びプラグコンタクト４２，４７の数が多くなっても、これらを二列化しても、プラグ４の抜去を容易にできる。
【００５７】
なお、嵌合状態の各ソケット３Ａ，３Ｂとプラグ４を分離すべく、基板２Ａに実装したソケット３Ａからプラグ４の一端部の内側プラグボディ４０及び外側プラグボディ４５を抜去するプラグ抜去操作については、図１９，図２０に示した上記他の基板２Ｂに実装したソケット３Ｂからプラグ４の他端部の内側プラグボディ４０及び外側プラグボディ４５を抜去するプラグ抜去操作と同じであるため、その詳しい説明及び相当図面を省略する。
【００５８】
以上、本実施の形態は本発明の好適な一実施の形態を示したが、本発明はそれに限定されることなく、その要旨を逸脱しない範囲内で種々変形実施することができるものである。例えば、ソケット４Ａ，４Ｂは表面実装タイプのものを示したが、挿入実装タイプのものでも良い。
【図面の簡単な説明】
【００５９】
【図１】本発明の実施の形態に係る基板用コネクタの正面図である。
【図２】同基板用コネクタの平面図である。
【図３】同基板用コネクタの右側面図である。
【図４】同基板用コネクタの図２Ａ−Ａ断面図である。
【図５】本発明の実施の形態に係る基板用コネクタに備えるソケットの正面図である。
【図６】同ソケットの平面図である。
【図７】同ソケットの右側面図である。
【図８】同ソケットの図６Ｂ−Ｂ断面図である。
【図９】本発明の実施の形態に係る基板用コネクタに備えるプラグの正面図である。
【図１０】同プラグの平面図である。
【図１１】同プラグの底面図である。
【図１２】同プラグの右側面図である。
【図１３】同プラグの図１０Ｃ−Ｃ断面図である。
【図１４】同プラグに有するスペーサの中央縦断面説明図である。
【図１５】本発明の実施の形態に係る基板用コネクタに備えるソケットとプラグを嵌合する際のプラグ挿入時の初期状態を示す要部断面図である。
【図１６】同プラグ挿入時の途中の状態を示す要部断面図である。
【図１７】同プラグ挿入時の完全挿入状態を示す要部断面図である。
【図１８】同プラグ挿入時の完全挿入状態を示す要部右側面図である。
【図１９】本発明の実施の形態に係る基板用コネクタに備えるソケットとプラグを分離する際のプラグ抜去時の初期状態を示す要部断面図である。
【図２０】同プラグ抜去時の途中の状態を示す要部断面図である。
【符号の説明】
【００６０】
１  基板用コネクタ
２Ａ  基板
２Ｂ  他の基板
３Ａ，３Ｂ  ソケット
４  プラグ
３０  ソケットボディ
３２  プラグ嵌合凹部
３４  ソケットコンタクト
４０  内側プラグボディ
４２  下側プラグコンタクト
４２Ａ  一端部
４２Ｂ  他端部
４５  外側プラグボディ
４７  外側プラグコンタクト
４７Ａ  一端部
４７Ｂ  他端部
５１  カバー
５２  スペーサ
５２ａ  ５２ｂ  コンタクト溝
【図１】
2008077844.tif 000003
【図２】
2008077844.tif 000004
【図３】
2008077844.tif 000005
【図４】
2008077844.tif 000006
【図５】
2008077844.tif 000007
【図６】
2008077844.tif 000008
【図７】
2008077844.tif 000009
【図８】
2008077844.tif 000010
【図９】
2008077844.tif 000011
【図１０】
2008077844.tif 000012
【図１１】
2008077844.tif 000013
【図１２】
2008077844.tif 000014
【図１３】
2008077844.tif 000015
【図１４】
2008077844.tif 000016
【図１５】
2008077844.tif 000017
【図１６】
2008077844.tif 000018
【図１７】
2008077844.tif 000019
【図１８】
2008077844.tif 000020
【図１９】
2008077844.tif 000021
【図２０】
2008077844.tif 000022